(57)【特許請求の範囲】
【請求項１】
雌側コネクタハウジングに、カム溝を備えたレバーを回動可能に支持するとともに、雄側コネクタハウジングの角筒状をなすフード部の外周面にカムピンを設け、前記カムピンと前記カム溝を係合させた状態で前記レバーを回動することにより前記フード部内に前記雌側コネクタハウジングを嵌入させつつ前記両コネクタハウジングを引き寄せて正規嵌合状態とするようにしたコネクタにおいて、
前記フード部の内周面のうちの前記レバーの回動中心軸と直交する面に、前記フード部に対する前記雌側コネクタハウジングの嵌入方向と平行に延びる溝を形成するとともに、
前記雌側コネクタハウジングの外周面のうちの前記レバーの回動中心軸と直交する面に、前記フード部に対する前記雌側コネクタハウジングの嵌入方向と平行に延びるリブを形成し、
前記溝と前記リブとが、前記フード部に対する前記雌側コネクタハウジングの嵌入方向と交差する方向に互いに当接し合うことで、前記フード部と前記雌側コネクタハウジングが前記レバーの回動中心軸と直交する面に沿ってずれるのが規制される構成とし、
前記溝の深さを、前記フード部の肉厚寸法の範囲内とし、
前記フード部の肉厚方向において、前記溝と前記カムピンとを互いに対応するように配したことを特徴とするコネクタ。
【請求項２】
前記雌側コネクタハウジングに設けた雌端子金具は、前記雄側ハウジングに設けた雄端子金具のタブに対して弾接する弾性接触片を有しており、前記溝と前記リブの当接方向が、前記タブに対する前記弾性接触片の弾接方向と同じ方向とされていることを特徴とする請求項１記載のコネクタ。
【請求項３】
前記フード部の奥端面と前記雌側コネクタハウジングの先端面との間にはジェル状シール材が介装され、前記雄側コネクタハウジングに設けた雄端子金具のタブが前記ジェル状シール材を液密状に貫通することで前記雌側コネクタハウジングの雌端子金具と接続されるようにしたことを特徴とする請求項１又は２に記載のコネクタ。
【発明の詳細な説明】
【０００１】
【発明の属する技術分野】
本発明は、コネクタに関するものである。
【０００２】
【従来の技術】
従来、雄雌両コネクタハウジングを嵌合するタイプのコネクタとしては、例えば、特開平６−２３１８３０号公報等に記載されているものがある。この種のコネクタでは、雄側コネクタハウジングに角筒状のフード部を形成し、このフード部に雌側コネクタハウジングを嵌入させることで、雄側コネクタハウジングの雄端子金具と雌側コネクタハウジングの雌端子金具とを嵌合接続させるようになっている。
【０００３】
【発明が解決しようとする課題】
上記のようなコネクタでは、フード部が薄壁状をなすために僅かではあるが反りを生じる場合があり、フード部の開口寸法がばらつくことは避けられない。そこで、このフード部の反り、特に内側への反りの対策として、フード部の開口寸法と雌側コネクタハウジングの外形寸法との間に寸法差が設けれている。
ところが、このような寸法差を設けたことで、反りを生じていないフード部や外側へ反っているフード部に雌側コネクタハウジングを嵌合したときに、双方の間で嵌合方向と交差する方向にガタ付きを生じる、という新たな問題が発生している。
【０００４】
本願発明は上記事情に鑑みて創案され、フード部と雌側コネクタハウジングとの間のガタ付きを防止することを目的としている。
【０００５】
【課題を解決するための手段】
請求項１の発明は、雌側コネクタハウジングに、カム溝を備えたレバーを回動可能に支持するとともに、雄側コネクタハウジングの角筒状をなすフード部の外周面にカムピンを設け、前記カムピンと前記カム溝を係合させた状態で前記レバーを回動することにより前記フード部内に前記雌側コネクタハウジングを嵌入させつつ前記両コネクタハウジングを引き寄せて正規嵌合状態とするようにしたコネクタにおいて、前記フード部の内周面のうちの前記レバーの回動中心軸と直交する面に、前記フード部に対する前記雌側コネクタハウジングの嵌入方向と平行に延びる溝を形成するとともに、前記雌側コネクタハウジングの外周面のうちの前記レバーの回動中心軸と直交する面に、前記フード部に対する前記雌側コネクタハウジングの嵌入方向と平行に延びるリブを形成し、前記溝と前記リブとが、前記フード部に対する前記雌側コネクタハウジングの嵌入方向と交差する方向に互いに当接し合うことで、前記フード部と前記雌側コネクタハウジングが前記レバーの回動中心軸と直交する面に沿ってずれるのが規制される構成とし、前記溝の深さを、前記フード部の肉厚寸法の範囲内とし、前記フード部の肉厚方向において、前記溝と前記カムピンとを互いに対応するように配した構成とした。
【０００６】
請求項２の発明は、請求項１の発明において、前記雌側コネクタハウジングに設けた雌端子金具は、前記雄側ハウジングに設けた雄端子金具のタブに対して弾接する弾性接触片を有しており、前記溝と前記リブの当接方向が、前記タブに対する前記弾性接触片の弾接方向と同じ方向とされている構成とした。
【０００８】
請求項３の発明は、請求項１又は請求項２の発明において、前記フード部の奥端面と前記雌側コネクタハウジングの先端面との間にはジェル状シール材が介装され、前記雄側コネクタハウジングに設けた雄端子金具のタブが前記ジェル状シール材を液密状に貫通することで前記雌側コネクタハウジングの雌端子金具と接続されるようにした構成とした。
【０００９】
【発明の作用及び効果】
［請求項１の発明］
遊動規制手段の当接により、フード部と雌側コネクタハウジングとの間では嵌入方向と交差する方向のガタ付きが防止される。
【００１０】
即ち、リブと溝が嵌合すると、そのリブの外側面と溝の内側面とが、嵌入方向と交差する方向に当接し、もってフード部と雌側コネクタハウジングとの間のガタ付きが防止される。フード部と雌側コネクタハウジングの双方に突成したリブ同士を当接させる遊動規制手段の場合には、フード部の内周面と雌側コネクタハウジングの外周面との間にデッドスペースが生じるが、本発明によれば、リブと溝との凹凸嵌合としたのでフード部の内周面と雌側コネクタハウジングの外周面とを接近させることができ、デッドスペースをなくすことができる。
【００１１】
また、カムピンとカム溝を係合させた状態でレバーを回動させて両コネクタハウジングを引き寄せる際には、フード部と雌側コネクタハウジングとに対し、レバーの回動中心軸と直交する面に沿ったずれを生じさせようとする力が作用するのであるが、レバーの回動中心軸と直交する面においては、遊動規制手段の当接によりフード部と雌側コネクタハウジングとの間の遊動が規制されているので、レバーの回動に起因するガタ付きも防止できる。
［請求項２の発明］
雄側コネクタハウジングと雌側コネクタハウジングとの間では、弾性接触片によるタブへの弾接方向の遊動が規制されるので、雄端子金具と雌端子金具との間での接触安定性が確保される。
【００１２】
［請求項３の発明］
遊動規制手段としてフード部の内周面や雌側コネクタハウジングの外周面にリブを突成した場合には、双方の周面間に介装するリング状のシール部材による防水構造を採用することはできないのであるが、本発明では、フード部と雌側コネクタハウジングの端面間に介装したジェル状シール材によって確実にシールすることができる。
【００１３】
【発明の実施の形態】
［実施形態１］
以下、本発明を具体化した実施形態１を図１乃至図８を参照して説明する。
【００１４】
本実施形態のコネクタは、雄側コネクタハウジング１０、雌側コネクタハウジング２０、レバー３０、一括ゴム栓２７、カバー２８及びジェル状シール材１４を備えて構成されている。
雄側コネクタハウジング１０は、前方（図４，６，７における右方）に突出するフード部１１を有する。このフード部１１は、正面から視て左右方向を長辺とする略長方形（角筒状）をなし、このフード部１１内に雌側コネクタハウジング２０のハウジング本体２１が嵌入される。また、フード部１１内には、雄端子金具１２のタブ１２Ａが突出され、雌側コネクタハウジング２０がフード部１１に嵌入するとその雌端子金具２３とタブ１２Ａとが嵌合接続されるようになっている。さらに、フード部１１の左右両外側面には、一対のカムピン１３が突成されている。
【００１５】
また、フード部１１の奥端面には、その前面に亘って厚肉方形のジェル状シール材１４が取り付けられている。ジェル状シール材１４は、シリコンジェル製であって、上記雌端子金具２３はこのジェル状シール材１４を液密状に突き破ってフード部１１内に突出している。雌側コネクタハウジング２０がフード部１１に嵌入されると、ジェル状シール材１４はフード部１１の奥端面と雌側コネクタハウジング２０の前端面との間で挟圧され、フード部１１と雌側コネクタハウジング２０との間はジェル状シール材１４の粘着作用によってシールされる。
【００１６】
雌側コネクタハウジング２０は、内部に雌端子金具２３が収容されたハウジング本体２１と、このハウジング本体２１の外周から前方（図５〜７における左方）へ突出してその雌側コネクタハウジング２０の概ね前半領域を包囲するガイド筒部２２とからなる。ハウジング本体２１とガイド筒部２２は、いずれも、正面から視て左右方向を長辺とする略長方形をなしている。上記雄側コネクタハウジング１０のフード部１１には、このハウジング本体２１が嵌入され、このときガイド筒部２２がフード部１１に外嵌される。
【００１７】
雌端子金具２３は、雄側コネクタハウジング１０と対向する前端側が角筒形の嵌合部２４とされ、この嵌合部２４内には、嵌合部２４の天井壁から折り返し状に延出されて上下方向に弾性撓み可能とされた弾性接触片２５が設けられている。両コネクタハウジング１０，２０が嵌合して雄端子金具１２のタブ１２Ａが嵌合部２４内に進入すると、その進入したタブ１２Ａが、弾性接触片２５と嵌合部２４の天井壁との間で弾性接触片２５の弾力により上下方向に挟圧され、もって両端子金具１２，２３が所定の接触圧で接続されるようになっている。
【００１８】
尚、雌側コネクタハウジング２０の後端における雌端子金具２３の挿入口２６は、一括ゴム栓２７によりシールされているとともに、その一括ゴム栓２７は、カバー２８により、雌側コネクタハウジング２０に対して離脱不能に保持されている。
また、雌側コネクタハウジング２０の左右両外側面におけるガイド筒部２２の後端位置には、一対の支持軸２９（本発明の構成要件であるレバー３０の回動中心軸）が突成され、ここにレバー３０が支持されている。また、ガイド筒部２２の左右両側壁には、雄側コネクタハウジング１０のカムピン１３との干渉を回避するための切欠部３１が前端側に開放された形態で形成されている。
【００１９】
レバー３０は、操作部３２の左右方向両端から一対の板状をなすアーム部３３をほぼ直角に延出させた門型形状をなし、両アーム部３３を雌側コネクタハウジング２０の左右両外側面に対応させた状態で軸受孔３４を支持軸２９に嵌合させることにより、回動可能に支持されている。各アーム部３３の内面には弧状をなすカム溝３５が形成されている。両コネクタハウジング１０，２０を浅く嵌合してカムピン１３をカム溝３５の入口に進入させ、その状態からレバー３０を回動させると、カム溝３５とカムピン１３との係合により雄側コネクタハウジング１０が雌側コネクタハウジング２０側へ引き寄せられ、もって、両コネクタハウジング１０，２０が正規嵌合状態に至るようになっている。
【００２０】
上記本実施形態のコネクタには、フード部１１と雌側コネクタハウジング２０との間のガタ付きを防止するための手段として、以下のような対策が講じられている。
フード部１１の内周における左右両側面（正面から視て短辺側の面）には、夫々、フード部１１に対する雌側コネクタハウジング２０の嵌入方向と平行に延びる溝３６（本発明の構成要件である遊動規制手段）が上下一対ずつ形成されている。溝３６は、フード部１１の左右内側面と平行な溝底面３６Ａと、フード部１１の左右両内側面と直交する上下一対の平坦な当接面３６Ｂとを有し、正面側から視ると（雌側コネクタハウジング２０の嵌入方向に視て）方形断面をなしている。
【００２１】
一方、ハウジング本体２１の外周における左右両側面（正面から視て短辺側の面）には、夫々、フード部１１に対する雌側コネクタハウジング２０の嵌入方向と平行に延びるリブ３７（本発明の構成要件である遊動規制手段）が上下一対ずつ且つフード部１１の溝３６と対応するように形成されている。リブ３７は、ハウジング本体２１の左右外側面と平行な突端面３７Ａと、ハウジング本体２１の左右両外側面と直交する上下一対の平坦な当接面３７Ｂとを有し、正面側から視て方形断面をなしている。
【００２２】
フード部１１に雌側コネクタハウジング２０が嵌入されると、フード部１１の溝３６とハウジング本体２１のリブ３７とが嵌合し、双方の当接面３６Ｂ，３７Ｂ同士が図２及び図８における上下方向（フード部１１に対する雌側コネクタハウジング２０の嵌入方向と直交する方向）に当接し合う。この当接動作により、フード部１１と雌側コネクタハウジング２０との間での上下方向（フード部１１に対する雌側コネクタハウジング２０の嵌入方向と直交する方向）のガタ付きを確実に規制することができる。
【００２３】
また、遊動規制手段としてフード部と雌側コネクタハウジングの双方に突条（図示せず）を形成してその突条同士を当接させて遊動規制する場合には、フード部の内周面と雌側コネクタハウジングの外周面との間にデッドスペースが生じるが、本実施形態によれば、リブ３７と溝３６との凹凸嵌合としたのでフード部１１の内周面とハウジング本体２１の外周面とを接近させることができ、デッドスペースをなくすことができる。
【００２４】
また、溝３６とリブ３７の当接方向（雄側コネクタハウジング１０と雌側コネクタハウジング２０との間でのガタ付き規制方向）が、タブ１２Ａに対する弾性接触片２５の弾接方向と同じ方向とされているので、雄雌両端子金具１２，２３の間でも弾性接触片２５によるタブ１２Ａへの弾接方向の遊動が規制される。これにより、雄端子金具１２と雌端子金具２３との間での接触安定性が確保される。
【００２５】
また、溝３６とリブ３７が配されている面を、夫々、フード部１１とハウジング本体２１におけるレバー３０の支持軸２９（回動中心軸）と直交する面としたことによって、次のような利点がある。即ち、カムピン１３とカム溝３５を係合させた状態でレバー３０を回動させて両コネクタハウジング１０，２０を引き寄せる際には、フード部１１と雌側コネクタハウジング２０とに対し、支持軸２９（レバー３０の回動中心軸）と直交する側面に沿い且つフード部１１へのハウジング本体２１の嵌入方向に対して交差する概ね上下方向のずれを生じさせようとする力が作用するのであるが、レバー３０の回動中心軸である支持軸２９と直交する側面においては、溝３６とリブ３７との当接によりフード部１１と雌側コネクタハウジング２０との間の遊動が規制されるので、レバー３０の回動に起因するガタ付きが防止される。
【００２６】
また、本実施形態では、遊動規制手段としてフード部１１の内周面に溝３６を形成するとともに雌側コネクタハウジング２０の外周面にリブ３７を突成しているので、フード部１１と雌側コネクタハウジング２０の周面間に介装するリング状のシール部材による防水構造を採用することはできないのであるが、フード部１１の奥端面とハウジング本体２１の先端面との間にジェル状シール材１４を介装しすることによって確実に防水することが実現されている。
【００２７】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００２８】
（１）上記実施形態では遊動規制手段の当接方向がタブに対する弾性接触片の弾接方向と同じ方向とされているが、本発明によれば、遊動規制手段の当接方向はタブに対する弾性接触片の弾接方向と直交する方向とすることもできる。
【００２９】
（２）上記実施形態では遊動規制手段であるリブと溝をフード部及び雌側コネクタハウジングの正面から視たときの短辺側に設けたが、本発明によれば、遊動規制手段は長辺に形成してもよく、長短両辺に設けてもよい。
【図面の簡単な説明】
【図１】実施形態１の分解斜視図
【図２】フード部に雌側コネクタハウジングを嵌入した状態を示す横断面図
【図３】両コネクタハウジングが嵌合した状態を示す縦断面図
【図４】雄側コネクタハウジングの縦断面図
【図５】雌側コネクタハウジングの縦断面図
【図６】両コネクタハウジングを離脱した状態の水平断面図
【図７】両コネクタハウジングを嵌合した状態の水平断面図
【図８】遊動規制手段を示す部分拡大図
【符号の説明】
１０…雄側コネクタハウジング
１１…フード部
１２…雄端子金具
１２Ａ…タブ
１３…カムピン
２０…雌側コネクタハウジング
２３…雌端子金具
２５…弾性接触片
２９…支持軸（レバーの回動中心軸）
３０…レバー
３５…カム溝
３６…溝（遊動規制手段）
３７…リブ（遊動規制手段）
【図１】
0003552641.tif 000002
【図２】
0003552641.tif 000003
【図３】
0003552641.tif 000004
【図４】
0003552641.tif 000005
【図５】
0003552641.tif 000006
【図６】
0003552641.tif 000007
【図７】
0003552641.tif 000008
【図８】
0003552641.tif 000009